(57)【要約】【課題】ネットワークを介した情報発信において、手書き情報を用いた情報の発信を容易化すること。【解決手段】入力された画像情報をコンテンツサーバ３に記憶させるサービス管理サーバ２であって、取得された画像情報に基づいてコンテンツサーバ３内部の記憶領域の特定に関する情報を含む記憶領域特定画像情報及び記憶領域に記憶させるべき記憶対象画像情報を取得する画像処理部２０４と、記憶領域特定画像情報に基づいて記憶領域を特定する符号化情報制御部２０３と、取得した記憶対象画像情報を特定された記憶領域に記憶させる入出力制御部２０２とを有することを特徴とする。【選択図】図４
2010004115.tif 000002
【特許請求の範囲】
【請求項１】
入力された画像情報をネットワーク上の記憶領域に記憶させる画像処理装置であって、
前記入力された画像情報を取得する画像情報取得部と、
前記画像情報に基づいて前記記憶領域の特定に関する情報を含む記憶領域特定画像情報を取得する記憶領域特定画像情報取得部と、
前記画像情報に基づいて前記記憶領域に記憶させるべき記憶対象画像情報を取得する記憶対象画像情報取得部と、
前記記憶領域特定画像情報に基づいて前記記憶領域を特定する記憶領域特定部と、
前記記憶対象画像情報を前記特定された記憶領域に記憶させる情報記憶処理部とを有することを特徴とする、画像処理装置。
【請求項２】
前記記憶領域特定画像情報は、符号化された情報を表示する画像を含み、
前記記憶領域特定部は、前記記憶領域特定画像情報が表示する符号化された情報を復号化し、前記復号化された情報に基づいて前記記憶領域を特定することを特徴とする、請求項１に記載の画像処理装置。
【請求項３】
前記入力された画像情報は、所定位置に前記符号化された情報が表示された用紙を光学的に走査して生成された画像情報であり、
前記記憶領域特定画像情報取得部は、前記画像情報の所定範囲を抽出して前記記憶領域特定画像情報を取得することを特徴とする、請求項２に記載の画像処理装置。
【請求項４】
前記記憶領域のネットワーク上におけるアドレスを示すアドレス情報を取得するアドレス情報取得部と、
前記用紙の所定位置に表示させるための符号化情報を前記アドレス情報を符号化することにより生成する符号化情報生成部とを有することを特徴とする、請求項３に記載の画像処理装置。
【請求項５】
複数の前記記憶領域のネットワーク上におけるアドレスを示すアドレス情報を取得するアドレス情報取得部と、
前記記憶領域毎の前記アドレス情報を識別する識別情報を前記取得したアドレス情報に基づいて生成する識別情報生成部と、
前記用紙の所定位置に表示させるための符号化情報を前記生成された識別情報を符号化することにより生成する符号化情報生成部と、
前記アドレス情報と前記識別情報とを関連付けて記憶する記憶領域情報記憶部とを有することを特徴とする、請求項３に記載の画像処理装置。
【請求項６】
前記用紙上に形成される画像であって前記生成された符号化情報が所定位置に表示された画像の情報である用紙画像情報を生成する用紙画像情報生成部を更に有することを特徴とする、請求項４または５に記載の画像処理装置。
【請求項７】
質問の情報である質問情報を取得する質問情報取得部と、
前記質問に対する回答としての前記記憶対象画像情報を記憶させるべき記憶領域のネットワーク上におけるアドレスを決定する記憶領域決定部とを更に有し、
前記アドレス情報取得部は、前記記憶領域決定部によって決定されたアドレスの情報を取得することを特徴とする、請求項６に記載の画像処理装置。
【請求項８】
前記記憶領域特定画像情報は、前記符号化された情報及びユーザによって記入された情報を含み、
前記記憶領域特定部は、前記復号化された情報及び前記ユーザによって記入された情報に基づいて前記記憶領域を決定することを特徴とする、請求項２乃至７いずれか１項に記載の画像処理装置。
【請求項９】
前記記憶領域特定画像情報取得部は、予め定められた範囲指定情報に基づき、前記画像情報が表示する画像の所定範囲を抽出して前記記憶領域特定画像情報を取得することを特徴とする、請求項１乃至８いずれか１項に記載の画像処理装置。
【請求項１０】
前記画像情報を解析して前記画像情報のうち前記記憶領域の特定に関する情報を含む範囲を決定する画像情報解析部を更に有し、
前記記憶領域特定画像情報取得部は、前記決定された範囲を表示する画像情報を前記記憶領域特定画像情報として取得することを特徴とする、請求項１乃至９いずれか１項に記載の画像処理装置。
【請求項１１】
前記記憶対象画像情報取得部は、前記画像情報の所定領域を抽出して前記記憶対象画像情報を取得することを特徴とする、請求項１乃至１０いずれか１項に記載の画像処理装置。
【請求項１２】
前記記憶対象画像情報取得部は、予め定められた範囲指定情報に基づき、前記画像情報の所定範囲を抽出することにより前記記憶対象画像情報を取得することを特徴とする、請求項１１に記載の画像処理装置。
【請求項１３】
前記画像情報を解析して前記画像情報のうち前記記憶領域に記憶させるべき範囲を決定する画像情報解析部を更に有し、
前記記憶領域特定画像情報取得部は、前記決定された範囲を前記記憶領域特定画像情報として取得することを特徴とする、請求項１２に記載の画像処理装置。
【請求項１４】
原稿を光学的に走査して画像情報を生成する原稿読取部と、
予め定められた転送先の情報に基づき、前記生成された画像情報を前記画像情報取得部に取得させる画像情報転送部とを更に有することを特徴とする、請求項１乃至３いずれか１項に記載の画像処理装置。
【請求項１５】
入力された画像情報をネットワークに接続された記憶領域に記憶させる画像処理方法であって、
画像情報取得部と、記憶領域特定画像情報取得部と、記憶対象画像情報取得部と、記憶領域特定部と、情報記憶処理部とを有し、
前記画像情報取得部が、前記入力された画像情報を取得し、
前記記憶領域特定情報取得部が、前記画像情報に基づいて前記記憶領域の特定に関する情報を含む記憶領域特定画像情報を取得し、
前記記憶対象画像情報取得部が、前記画像情報に基づいて前記記憶領域に記憶させるべき記憶対象画像情報を取得し、
前記記憶領域特定部が、前記記憶領域特定画像情報に基づいて前記記憶領域を特定し、
前記情報記憶処理部が、前記記憶対象画像情報を前記特定された記憶領域に記憶させることを特徴とする、画像処理方法。
【請求項１６】
入力された画像情報をネットワークに接続された記憶領域に記憶させる画像処理プログラムであって、
前記入力された画像情報を取得する処理と、
前記画像情報に基づいて前記記憶領域の特定に関する情報を含む記憶領域特定画像情報を取得する処理と、
前記画像情報に基づいて前記記憶領域に記憶させるべき記憶対象画像情報を取得する処理と、
前記記憶領域特定情報に基づいて前記記憶領域を特定する処理と、
前記記憶対象画像情報を前記特定された記憶領域に記憶させる処理を情報処理装置に実行させることを特徴とする、情報処理プログラム。
【請求項１７】
請求項１６に記載の情報処理プログラムを情報処理装置が読み取り可能な形式で記録したことを特徴とする記録媒体。
【請求項１８】
情報処理装置が読み取り可能な形式で記憶すべき画像を作成するための紙媒体であって、
当該紙媒体上に作成された画像をデジタル情報として格納する格納先に関する情報が符号化された符号化情報が表示されている符号化情報表示領域と
前記画像を作成すべき領域である画像作成領域とを有することを特徴とする、紙媒体。
【請求項１９】
前記符号化情報表示領域及び前記画像作成領域の少なくとも一方の領域を認識するための位置検出情報が表示されている位置検出用情報表示領域を更に有することを特徴とする、請求項１８に記載の紙媒体。
【発明の詳細な説明】
【技術分野】
【０００１】
本発明は、画像処理装置、画像処理方法、情報処理プログラム、記録媒体及び紙媒体に関し、特にネットワークを介して開示される情報の格納に関する。
【背景技術】
【０００２】
近年、インターネット等のネットワークを介した情報発信が頻繁に行なわれている。インターネットを介した情報発信の一態様として、個人の日記形式のウェブサイトであるブログサイトが普及している。ユーザは、ブログサイトを運営するサーバにテキスト情報や画像情報等を登録することにより、情報を発信することが可能である。ブログサイトを介して情報を発信する場合、各ユーザは、ＰＣ（Ｐｅｒｓｏｎａｌ  Ｃｏｍｐｕｔｅｒ）等の情報端末を操作することにより発信すべき情報を入力する。入力された情報は、ネットワークを介して、ブログサイトのサーバに格納される。
【０００３】
他方、手書き情報を電子情報として処理する方法として、デジタルペンを用いる方法がある（例えば、特許文献１参照）。特許文献１に開示されている方法においては、専用用紙上に電子ペンで情報を手書きする。その結果、ユーザが手書きした情報が電子化され、指定された送信先に送信される。
【特許文献１】特開２００７−２１９９５２号公報
【発明の開示】
【発明が解決しようとする課題】
【０００４】
しかしながら、ブログサイト等を介した情報発信を実行するためには、上述したように、ＰＣ等の情報端末を操作する必要がある。従って、情報端末の操作に慣れていないユーザにとって、ネットワークを介した情報発信は依然困難である。更に、画像情報を発信するためには、画像情報の生成、加工、転送等、更に困難な処理が必要となる。
【０００５】
また、特許文献１に開示された方法によれば、容易に手書き情報を発信することが可能であるが、専用用紙及び電子ペンが必要となる。また、必ず電子ペンを用いる必要があるため、ユーザは、手書き情報を作成する際に自分の好きな筆記具を用いることができない。
【０００６】
本発明は、上記実情を考慮してなされたものであり、ネットワークを介した情報発信において、手書き情報を用いた情報の発信を容易化することを目的とする。
【課題を解決するための手段】
【０００７】
上記課題を解決するために、請求項１に記載の発明は、入力された画像情報をネットワーク上の記憶領域に記憶させる画像処理装置であって、前記入力された画像情報を取得する画像情報取得部と、前記画像情報に基づいて前記記憶領域の特定に関する情報を含む記憶領域特定画像情報を取得する記憶領域特定画像情報取得部と、前記画像情報に基づいて前記記憶領域に記憶させるべき記憶対象画像情報を取得する記憶対象画像情報取得部と、前記記憶領域特定画像情報に基づいて前記記憶領域を特定する記憶領域特定部と、前記記憶対象画像情報を前記特定された記憶領域に記憶させる情報記憶処理部とを有することを特徴とする。
【０００８】
また、請求項２に記載の発明は、請求項１に記載の画像処理装置において、前記記憶領域特定画像情報は、符号化された情報を表示する画像を含み、前記記憶領域特定部は、前記記憶領域特定画像情報が表示する符号化された情報を復号化し、前記復号化された情報に基づいて前記記憶領域を特定することを特徴とする。
【０００９】
また、請求項３に記載の発明は、請求項２に記載の画像処理装置において、前記入力された画像情報は、所定位置に前記符号化された情報が表示された用紙を光学的に走査して生成された画像情報であり、前記記憶領域特定画像情報取得部は、前記画像情報の所定範囲を抽出して前記記憶領域特定画像情報を取得することを特徴とする。
【００１０】
また、請求項４に記載の発明は、請求項３に記載の画像処理装置において、前記記憶領域のネットワーク上におけるアドレスを示すアドレス情報を取得するアドレス情報取得部と、前記用紙の所定位置に表示させるための符号化情報を前記アドレス情報を符号化することにより生成する符号化情報生成部とを有することを特徴とする。
【００１１】
また、請求項５に記載の発明は、請求項３に記載の画像処理装置において、複数の前記記憶領域のネットワーク上におけるアドレスを示すアドレス情報を取得するアドレス情報取得部と、前記記憶領域毎の前記アドレス情報を識別する識別情報を前記取得したアドレス情報に基づいて生成する識別情報生成部と、前記用紙の所定位置に表示させるための符号化情報を前記生成された識別情報を符号化することにより生成する符号化情報生成部と、前記アドレス情報と前記識別情報とを関連付けて記憶する記憶領域情報記憶部とを有することを特徴とする。
【００１２】
また、請求項６に記載の発明は、請求項４または５に記載の画像処理装置において、前記用紙上に形成される画像であって前記生成された符号化情報が所定位置に表示された画像の情報である用紙画像情報を生成する用紙画像情報生成部を更に有することを特徴とする。
【００１３】
また、請求項７に記載の発明は、請求項６に記載の画像処理装置において、質問の情報である質問情報を取得する質問情報取得部と、前記質問に対する回答としての前記記憶対象画像情報を記憶させるべき記憶領域のネットワーク上におけるアドレスを決定する記憶領域決定部とを更に有し、前記アドレス情報取得部は、前記記憶領域決定部によって決定されたアドレスの情報を取得することを特徴とする。
【００１４】
また、請求項８に記載の発明は、請求項２乃至７いずれか１項に記載の画像処理装置において、前記記憶領域特定画像情報は、前記符号化された情報及びユーザによって記入された情報を含み、前記記憶領域特定部は、前記復号化された情報及び前記ユーザによって記入された情報に基づいて前記記憶領域を決定することを特徴とする。
【００１５】
また、請求項９に記載の発明は、請求項１乃至８いずれか１項に記載の画像処理装置において、前記記憶領域特定画像情報取得部は、予め定められた範囲指定情報に基づき、前記画像情報が表示する画像の所定範囲を抽出して前記記憶領域特定画像情報を取得することを特徴とする。
【００１６】
また、請求項１０に記載の発明は、請求項１乃至９いずれか１項に記載の画像処理装置において、前記画像情報を解析して前記画像情報のうち前記記憶領域の特定に関する情報を含む範囲を決定する画像情報解析部を更に有し、前記記憶領域特定画像情報取得部は、前記決定された範囲を表示する画像情報を前記記憶領域特定画像情報として取得することを特徴とする。
【００１７】
また、請求項１１に記載の発明は、請求項１乃至１０いずれか１項に記載の画像処理装置において、前記記憶対象画像情報取得部は、前記画像情報の所定領域を抽出して前記記憶対象画像情報を取得することを特徴とする。
【００１８】
また、請求項１２に記載の発明は、請求項１１に記載の画像処理装置において、前記記憶対象画像情報取得部は、予め定められた範囲指定情報に基づき、前記画像情報の所定範囲を抽出することにより前記記憶対象画像情報を取得することを特徴とする。
【００１９】
また、請求項１３に記載の発明は、請求項１２に記載の画像処理装置において、前記画像情報を解析して前記画像情報のうち前記記憶領域に記憶させるべき範囲を決定する画像情報解析部を更に有し、前記記憶領域特定画像情報取得部は、前記決定された範囲を前記記憶領域特定画像情報として取得することを特徴とする。
【００２０】
また、請求項１４に記載の発明は、請求項１乃至３いずれか１項に記載の画像処理装置において、原稿を光学的に走査して画像情報を生成する原稿読取部と、予め定められた転送先の情報に基づき、前記生成された画像情報を前記画像情報取得部に取得させる画像情報転送部とを更に有することを特徴とする。
【００２１】
また、請求項１５に記載の発明は、入力された画像情報をネットワークに接続された記憶領域に記憶させる画像処理方法であって、画像情報取得部と、記憶領域特定画像情報取得部と、記憶対象画像情報取得部と、記憶領域特定部と、情報記憶処理部とを有し、前記画像情報取得部が、前記入力された画像情報を取得し、記憶領域特定画像情報取得部が、前記画像情報に基づいて前記記憶領域の特定に関する情報を含む記憶領域特定画像情報を取得し、記憶対象画像情報取得部が、前記画像情報に基づいて前記記憶領域に記憶させるべき記憶対象画像情報を取得し、記憶領域特定部が、前記記憶領域特定画像情報に基づいて前記記憶領域を特定し、情報記憶処理部が、前記記憶対象画像情報を前記特定された記憶領域に記憶させることを特徴とする。
【００２２】
また、請求項１６に記載の発明は、入力された画像情報をネットワークに接続された記憶領域に記憶させる画像処理プログラムであって、前記入力された画像情報を取得する処理と、前記画像情報に基づいて前記記憶領域の特定に関する情報を含む記憶領域特定画像情報を取得する処理と、前記画像情報に基づいて前記記憶領域に記憶させるべき記憶対象画像情報を取得する処理と、前記記憶領域特定情報に基づいて前記記憶領域を特定する処理と、前記記憶対象画像情報を前記特定された記憶領域に記憶させる処理を情報処理装置に実行させることを特徴とする。
【００２３】
また、請求項１７に記載の発明は、記録媒体であって、請求項１６に記載の情報処理プログラムを情報処理装置が読み取り可能な形式で記録したことを特徴とする。
【００２４】
また、請求項１８に記載の発明は、情報処理装置が読み取り可能な形式で記憶すべき画像を作成するための紙媒体であって、当該紙媒体上に作成された画像をデジタル情報として格納する格納先に関する情報が符号化された符号化情報が表示されている符号化情報表示領域と、前記画像を作成すべき領域である画像作成領域とを有することを特徴とする。
【００２５】
また、請求項１９に記載の発明は、請求項１８に記載の紙媒体において、前記符号化情報表示領域及び前記画像作成領域の少なくとも一方の領域を認識するための位置検出情報が表示されている位置検出用情報表示領域を更に有することを特徴とする。
【発明の効果】
【００２６】
本発明によれば、ネットワークを介した情報発信において、手書き情報を用いた情報の発信を容易化することが可能となる。
【発明を実施するための最良の形態】
【００２７】
以下、図面を参照して、本発明の実施形態を詳細に説明する。
実施の形態１．
本実施の形態においては、ブログサイトを運営するシステムであって、手書きの情報を容易に発信することが可能な画像処理システムを例として説明する。
【００２８】
図１は、本実施形態に係る画像処理システムの運用形態を示す図である。図１に示すように、本実施形態に係る画像処理システムは、画像処理装置１、サービス管理サーバ２、コンテンツサーバ３及びクライアント装置６を含む。図１に示すように、画像処理装置１、サービス管理サーバ２、コンテンツサーバ３及びクライアント装置６は、ネットワーク４を介して接続されている。ネットワーク４は、インターネット回線等の公衆回線網である。
【００２９】
本実施形態に係る画像処理システムにおいては、コンテンツサーバ３がブログサイト、ＢＢＳ（Ｂｕｌｌｅｔｉｎ  Ｂｏａｒｄ  Ｓｙｓｔｅｍ）等のコンテンツを提供している。ユーザは、クライアント装置６を操作して、コンテンツサーバ３にアクセスし、コンテンツ情報をダウンロードしてコンテンツサーバ３が提供するブログサイトを閲覧する。また、ユーザは、画像処理装置１を操作して原稿をスキャンする。画像処理装置１は、ユーザの操作に応じてスキャンした原稿の画像情報をサービス管理サーバ２に送信する。
【００３０】
サービス管理サーバ２は、受信した画像情報からコンテンツとして格納すべき部分画像を抽出する。また、サービス管理サーバ２は、上記抽出した部分画像を格納すべき記憶領域の情報を、受信した画像情報に基づいて取得する。ここで、上記部分画像を格納すべき記憶領域は、コンテンツサーバ３内部の記憶領域である。そして、サービス管理サーバ２は、取得した記憶領域の情報に基づき、上記抽出した部分画像を上記取得したコンテンツサーバ３における記憶領域に格納させる。尚、図１に示す例のほか、画像処理装置１、サービス管理サーバ２及びコンテンツサーバ３を一体の機器として構成しても良い。また、サービス管理サーバ２及びコンテンツサーバ３を一体の機器として構成し、画像処理装置１をネットワーク４を介して接続しても良い。
【００３１】
次に、本実施形態に係る画像処理システムに含まれる夫々の構成について説明する。本実施形態に係る画像処理装置１は、プリンタ、スキャナ及びファクシミリ等の機能を有するＭＦＰ（ＭｕｌｔｉＦｕｎｃｔｉｏｎ  Ｐｅｒｉｐｈｅｒａｌ）である。図２を参照して、本実施形態に係る画像処理装置１の構成について説明する。
【００３２】
図２は、本実施形態に係る画像処理装置１の構成を示すブロック図である。図２に示すように、本実施例に係る画像処理装置１は、コントローラ１００、ＡＤＦ（Ａｕｔｏ  Ｄｏｃｕｍｅｎｔ  Ｆｅｅｄｅｒ：原稿自動搬送装置）１０１、スキャナユニット１０２、排紙トレイ１０３、ネットワークＩ／Ｆ１０４、ディスプレイパネル１０５、給紙テーブル１０６、プリントエンジン１０７及び排紙トレイ１０８を有する。
【００３３】
また、コントローラ１００は、主制御部１１１、エンジン制御部１１２、入出力制御部１１３、画像処理部１１４及び操作表示制御部１１５を有する。尚、図２においては、電気的接続を実線の矢印で示しており、用紙の流れを破線の矢印で示している。コントローラ１００は、ソフトウェアとハードウェアとの組み合わせによって構成される。具体的には、ＲＯＭ（Ｒｅａｄ  Ｏｎｌｙ  Ｍｅｍｏｒｙ）や不揮発性メモリ並びにＨＤＤ（Ｈａｒｄ  Ｄｉｓｋ  Ｄｒｉｖｅ）や光学ディスク等の不揮発性記録媒体に格納された制御プログラムが、ＤＲＡＭ（Ｄｙｎａｍｉｃ  Ｒａｎｄｏｍ  Ａｃｃｅｓｓ  Ｍｅｍｏｒｙ）等の揮発性メモリ（以下、メモリ）にロードされ、ＣＰＵ（Ｃｅｎｔｒａｌ  Ｐｒｏｃｅｓｓｉｎｇ  Ｕｎｉｔ）の制御に従って構成されるソフトウェア制御部と集積回路などのハードウェアとによってコントローラ１００が構成される。コントローラ１００は、画像処理装置１全体を制御する制御部として機能する。
【００３４】
ネットワークＩ／Ｆ１０４は、画像処理装置１がネットワークを介して他の機器と通信する際のインタフェースである。ネットワークＩ／Ｆ１０４は、Ｅｔｈｅｒｎｅｔ（登録商標）やＵＳＢ（Ｕｎｉｖｅｒｓａｌ  Ｓｅｒｉａｌ  Ｂｕｓ）インタフェースによって構成される。ディスプレイパネル１０５は、画像処理装置１の状態を視覚的に表示する出力インタフェースであると共に、タッチパネルとしてユーザが画像処理装置１を直接操作する際の入力インタフェースでもある。
【００３５】
主制御部１１１は、コントローラ１００に含まれる各部を制御する役割を担い、コントローラ１００の各部に命令を与える。エンジン制御部１１２は、プリントエンジン１０７やスキャナユニット１０２等を制御若しくは駆動する駆動手段としての役割を担う。入出力制御部１１３は、ネットワークＩ／Ｆ１０４を介して入力される印刷ジョブ等の情報を主制御部１１１に入力する。また、入出力制御部１１３は、主制御部１１１の命令に従ってネットワークＩ／Ｆ１０４を介してネットワークに接続された他の装置に情報を送信する。
【００３６】
画像処理部１１４は、主制御部１１１の制御に従い、印刷ジョブに含まれる情報等に基づいて描画情報を生成する。この描画情報とは、プリントエンジン１０７が画像形成動作において形成すべき画像を描画するための情報である。また、画像処理部１１４は、スキャナユニット１０２から入力される撮像データを処理し、画像情報を生成する。この画像情報とは、スキャナ動作の結果物として図示しないＨＤＤに格納され若しくはネットワークＩ／Ｆ１０４を介して他の情報端末に送信される情報である。
【００３７】
操作表示制御部１１５は、ディスプレイパネル１０５からユーザによって入力される操作情報を主制御部１１１に入力する。また、操作表示制御部１１５は、主制御部１１１の命令に従ってディスプレイパネル１０５に情報表示を行なう。
【００３８】
画像処理装置１がプリンタとして動作する場合は、まず、入出力制御部１１３がネットワークＩ／Ｆ１０４に接続されたＵＳＢやＬＡＮを介して印刷ジョブを受信する。これにより、画像処理装置１において、印刷ジョブが発生する。印刷ジョブが発生すると、主制御部１１１は、印刷ジョブに含まれる画像情報を画像処理部１１４に入力する。画像処理部１１４は、主制御部１１１の命令に従い、入力された画像情報に基づいて描画情報を生成する。画像処理部１１４によって生成された描画情報は、順次図示しないＨＤＤに一時的に保持される。
【００３９】
エンジン制御部１１２は、主制御部１１１の制御に従い、給紙テーブル１０６を駆動して印刷用紙をプリントエンジン１０７に搬送する。また、エンジン制御部１１２は、図示しないＨＤＤに保持された描画情報を取得し、プリントエンジン１０７に入力する。プリントエンジン１０７は、エンジン制御部１１２から受信した描画情報に基づき、給紙テーブル１０６から搬送される用紙に対して画像形成を実行する。即ち、プリントエンジン１０７が画像形成部として動作する。プリントエンジン１０７の具体的態様としては、インクジェット方式による画像形成機構や電子写真方式による画像形成機構等を用いることが可能である。プリントエンジン１０７によって画像形成が施された文書は排紙トレイ１０８に排紙される。
【００４０】
画像処理装置１がスキャナとして動作する場合は、ユーザによるディスプレイパネル１０５の操作若しくはネットワークＩ／Ｆ１０４を介して入力されるスキャン実行指示に応じて、入出力制御部１１３が主制御部１１１にスキャン実行信号を送信する。主制御部１１１は、入出力制御部１１３から受信したスキャン実行信号に基づき、エンジン制御部１１２を制御する。エンジン制御部１１２は、ＡＤＦ１０１を駆動し、ＡＤＦ１０１にセットされた撮像対象原稿をスキャナユニット１０２に搬送する。
【００４１】
また、エンジン制御部１１２は、スキャナユニット１０２を駆動し、ＡＤＦ１０１から搬送される原稿を撮像する。また、ＡＤＦ１０１に原稿がセットされておらず、スキャナユニット１０２に原稿がセットされている場合、スキャナユニット１０２は、エンジン制御部１１２の制御に従い、セットされた原稿を撮像する。即ち、スキャナユニット１０２が撮像部として動作する。
【００４２】
撮像動作においては、スキャナユニット１０２に含まれるＣＣＤ等の撮像素子が原稿を光学的に走査し、光学情報に基づいて撮像情報が生成される。エンジン制御部１１２は、スキャナユニット１０２が生成した撮像情報を画像処理部１１４に転送する。画像処理部１１４は、主制御部１１１の制御に従い、エンジン制御部１１２から受信した撮像情報に基づき画像情報を生成する。画像処理部１１４が生成した画像情報は図示しないＨＤＤにスプールされる。
【００４３】
画像処理部１１４によって生成され、図示しないＨＤＤにスプールされた画像情報は、ユーザの指示に応じて格納され若しくは入出力制御部１１３及びネットワークＩ／Ｆ１０４を介して外部の情報端末に送信される。即ち、入出力制御部１１３が画像情報転送部として機能する。また、画像処理装置１が複写機として動作する場合は、エンジン制御部１１２がスキャナユニット１０２から受信した撮像情報に基づき、画像処理部１１４が描画情報を生成する。その描画情報に基づいてプリンタ動作の場合と同様に、エンジン制御部１１２がプリントエンジン１０７を駆動する。
【００４４】
次に、本実施形態に係るサービス管理サーバ２、コンテンツサーバ３及びクライアント装置６について、図を参照して説明する。図３は、本実施形態に係るサービス管理サーバ２、コンテンツサーバ３及びクライアント装置６のハードウェア構成を示すブロック図である。尚、以降の図３の説明においては、サービス管理サーバ２のハードウェア構成として説明するが、コンテンツサーバ３及びクライアント装置６についても同様である。
【００４５】
図３に示すように、本実施形態に係るサービス管理サーバ２は、一般的なサーバやＰＣ（Ｐｅｒｓｏｎａｌ  Ｃｏｍｐｕｔｅｒ）等の情報処理端末と同様の構成を有する。即ち、本実施形態に係るサービス管理サーバ２は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００４６】
ＣＰＵ１０は演算手段であり、サービス管理サーバ２全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００４７】
Ｉ／Ｆ５０は、バス８０と各種のハードウェアやネットワーク等を接続し制御する。ＬＣＤ６０は、ユーザがサービス管理サーバ２の状態を確認するための視覚的ユーザインタフェースである。操作部７０は、キーボードやマウス等、ユーザがサービス管理サーバ２に情報を入力するためのユーザインタフェースである。尚、図１において説明したように、本実施形態に係るサービス管理サーバ２及びコンテンツサーバ３は、サーバとして運用される。従って、ＬＣＤ６０及び操作部７０等のユーザインタフェースは省略可能である。
【００４８】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０の制御に従って動作することにより、ソフトウェア制御部が構成される。このようにして構成されたソフトウェア制御部と、ハードウェアとの組み合わせによって、本実施形態に係るサービス管理サーバ２、コンテンツサーバ３の機能を実現する機能ブロックが構成される。
【００４９】
次に、本実施形態に係るサービス管理サーバ２の機能ブロックについて、図４を参照して説明する。本実施形態に係るサービス管理サーバ２は、本実施形態の要旨となるサービスを運営するサーバである。図４は、本実施形態に係るサービス管理サーバ２の機能ブロックを示すブロック図である。図４に示すように、本実施形態に係るサービス管理サーバ２は、コントローラ２００、ネットワークＩ／Ｆ２１０及び格納先情報ＤＢ２２０を有する。また、コントローラ２００は、主制御部２０１、入出力制御部２０２、符号化情報制御部２０３、画像処理部２０４及び印刷命令生成部２０５を有する。
【００５０】
ネットワークＩ／Ｆ２１０は、サービス管理サーバ２がネットワークを介して他の機器と通信する際のインタフェースである。格納先情報ＤＢ２２０は、コンテンツサーバ３においてコンテンツ情報を記憶する記憶領域を示す情報及びその記憶領域を識別するＩＤの情報とを関連付けて記憶している。即ち、格納先情報ＤＢ２２０は、格納先情報記憶部である。
【００５１】
コントローラ２００は、ソフトウェアとハードウェアとの組み合わせによって構成される。具体的には、ＲＯＭや不揮発性メモリ並びにＨＤＤや光学ディスク等の不揮発性記録媒体に格納された制御プログラムが、ＤＲＡＭ等の揮発性メモリ（以降、メモリとする）にロードされ、ＣＰＵの制御に従って構成されるソフトウェア制御部と集積回路などのハードウェアとによってコントローラ２００が構成される。コントローラ２００は、サービス管理サーバ２全体を制御する制御部として機能する。
【００５２】
主制御部２０１は、コントローラ２００に含まれる各部を制御する役割を担い、コントローラ２００の各部に命令を与える。入出力制御部２０２は、ネットワークＩ／Ｆ２１０を介して入力される情報を主制御部２０１に入力する。また、入出力制御部２０２は、主制御部２０１の命令に従ってネットワークＩ／Ｆ２１０を介してネットワークに接続された他の装置に情報を送信する。
【００５３】
符号化情報制御部２０３は、主制御部１１１の制御に従い、ＱＲ（Ｑｕｉｃｋ  Ｒｅｓｐｏｎｓｅ）コード（登録商標）、バーコード等の符号化情報についての処理を実行する。符号化情報制御部２０３の機能については、後に詳述する。画像処理部２０４は、主制御部２０１の制御に従い、画像情報の抽出等の処理を実行する。印刷命令生成部２０５は、画像処理装置１に印刷出力を実行させるための命令である印刷ジョブを生成する。
【００５４】
次に、本実施形態に係るコンテンツサーバ３の機能ブロックについて、図５を参照して説明する。本実施形態に係るコンテンツサーバ３は、ブログサイトのサービスを提供するサーバである。図５は、本実施形態に係るコンテンツサーバ３の機能ブロックを示すブロック図である。図５に示すように、本実施形態に係るコンテンツサーバ３は、コントローラ３００、ネットワークＩ／Ｆ３１０及び格納先情報ＤＢ３２０を有する。また、コントローラ３００は、主制御部３０１、入出力制御部３０２及びコンテンツ制御部３０３を有する。
【００５５】
ネットワークＩ／Ｆ３１０は、コンテンツサーバ３がネットワークを介して他の機器と通信する際のインタフェースである。コンテンツＤＢ３２０は、コンテンツサーバ３がネットワークを介して発信するコンテンツの情報を格納している。即ち、コンテンツＤＢ３２０が、コンテンツ情報を記憶する記憶領域として機能する。コントローラ３００は、サービス管理サーバ２のコントローラ２００と同様に、ソフトウェアとハードウェアとの組み合わせによって構成される。コントローラ３００は、コンテンツサーバ３全体を制御する制御部として機能する。
【００５６】
主制御部３０１は、コントローラ３００に含まれる各部を制御する役割を担い、コントローラ３００の各部に命令を与える。入出力制御部３０２は、ネットワークＩ／Ｆ３１０を介して入力される情報を主制御部３０１に入力する。また、入出力制御部３０２は、主制御部３０１の命令に従ってネットワークＩ／Ｆ３１０を介してネットワークに接続された他の装置に情報を送信する。コンテンツ制御部３０３は、主制御部３０１の制御に従い、コンテンツＤＢ３２０へのコンテンツ情報の格納及びコンテンツＤＢ３２０からのコンテンツ情報の読み出しを制御する。
【００５７】
このような画像処理システムにおいて、本実施形態は、画像処理装置１のスキャンにより生成された画像情報をコンテンツサーバ３に格納する動作が特徴となる。以下、本実施形態に係る画像処理システムの動作について説明する。図６は、本実施形態に係る画像処理システムの動作を示すフローチャートである。図６に示すように、コンテンツサーバ３に情報を登録する際、先ず、画像処理装置１がユーザの操作に基づいてスキャンを実行する（Ｓ６０１）。
【００５８】
ここで、本実施形態においては、コンテンツサーバ３に格納すべき画像を手書きするための用紙として、専用の用紙（以降、専用用紙とする）を用いる。図７に、本実施形態に係る専用用紙の例を示す。図７に示すように、本実施形態に係る専用用紙５は、符号化情報表示領域５０１、タイトル記入領域５０２及びコンテンツ情報描画領域５０３を有する。符号化情報表示領域５０１は、ＱＲコード（登録商標）、バーコード等の符号化された情報（以降、符号化情報）が表示されている領域である。
【００５９】
タイトル記入領域５０２は、コンテンツとしてコンテンツサーバ３に格納すべき情報のタイトルを記入すべき領域である。図７に示す例においては、“・・・について”というタイトルが、タイトル記入領域５０２に記入されている。コンテンツ情報描画領域５０３は、コンテンツとしてコンテンツサーバ３に格納すべき情報を描くべき領域である。図７に示す例においては、文字、図形及び絵によってコンテンツ情報が描かれている。タイトル記入領域５０２及びコンテンツ情報描画領域５０３は、ユーザがコンテンツサーバ３に格納すべき画像を作成すべき画像作成領域である。
【００６０】
符号化情報表示領域５０１に表示されている符号化情報が含む情報の例について、図８に示す。図８に示すように、本実施形態に係る符号化情報表示領域５０１に表示されている符号化情報は、格納先ＩＤの情報を含む。ここで、格納先ＩＤは、コンテンツサーバ３における記憶領域であって、コンテンツ情報描画領域５０３に手書きされた情報を格納すべき記憶領域を識別するための情報である。
【００６１】
画像処理装置１は、スキャンを実行する際、本実施形態に係る動作を実行するためのモード（以降、自動転送モードとする）でスキャンを実行する。画像処理装置１は、自動転送モードでスキャンを実行して画像情報を生成すると、生成した画像情報をサービス管理サーバ２に送信する（Ｓ６０２）。
【００６２】
Ｓ６０２においては、入出力制御部１１３が、主制御部１１１の制御に基づき、ネットワークＩ／Ｆ１０４を介してサービス管理サーバ２に画像情報を送信する。ネットワーク４におけるサービス管理サーバ２のアドレスの情報は、画像処理装置１に接続されている記憶媒体に記憶されている。画像処理装置１は、自動転送モードでスキャンを実行すると、上記アドレスを読み出して、画像情報の送信を実行する。
【００６３】
サービス管理サーバ２においては、入出力制御部２０２がネットワークＩ／Ｆ２１０を介して、画像処理装置１から送信された画像情報を受信する。即ち、入出力制御部２０２が、画像情報取得部として機能する。サービス管理サーバ２は、画像処理装置１から画像情報を受信すると、その画像情報に含まれる部分画像を抽出する（Ｓ６０３）。
【００６４】
Ｓ６０３の処理においては、画像処理部２０４が、主制御部２０１の制御に従い、入出力制御部２０２が受信した画像情報を取得する。画像処理部２０４は、画像情報を取得すると、主制御部２０１の制御に従い、図７に示す専用用紙５の画像のうち、符号化情報表示領域５０１、タイトル記入領域５０２及びコンテンツ情報描画領域５０３の画像を抽出する。即ち、画像処理部２０４が、部分画像情報抽出部及び記憶対象画像情報取得部として機能する。図９は、画像処理部２０４が有する情報を示す図である。図９に示すように、画像処理部２０４は、符号化情報表示領域座標情報、タイトル記入領域座標情報及びコンテンツ情報描画領域座標情報を有する。
【００６５】
図９に示す情報は、夫々符号化情報表示領域５０１、タイトル記入領域５０２及びコンテンツ情報描画領域５０３の専用用紙５における座標を示す。画像処理部２０４は、Ｓ６０３において、図９に示す情報に基づいて、タイトル記入領域５０２及びコンテンツ情報描画領域５０３の画像を抽出する。Ｓ６０３において抽出される部分画像の例を図１０（ａ）〜（ｃ）に示す。図１０（ａ）は、符号化情報表示領域５０１に表示されている画像を部分画像５０１ａとして抽出した例を示す図である。上述したように、符号化情報表示領域５０１には、符号化情報が表示されている。即ち、部分画像５０１ａは、符号化情報を表示する画像である。
【００６６】
図１０（ｂ）は、タイトル記入領域５０２に表示されている画像を部分画像５０２ａとして抽出した例を示す図である。上述したように、タイトル記入領域５０２は、コンテンツとしてコンテンツサーバ３に格納すべき情報のタイトルを記入すべき領域である。即ち、部分画像５０２ａは、タイトルを示す画像情報として抽出される。
【００６７】
図１０（ｃ）は、コンテンツ情報描画領域５０３に表示されている画像を部分画像５０３ａとして抽出した例を示す図である。上述したように、コンテンツ情報描画領域５０３は、コンテンツとしてコンテンツサーバ３に格納すべき情報を描くべき領域である。即ち、部分画像５０３ａは、コンテンツ情報を示す画像情報として抽出される。本実施形態においては、部分画像５０２ａ、５０３ａの情報が記憶対象画像情報として用いられる。
【００６８】
サービス管理サーバ２は、図１０（ａ）〜（ｃ）に示すように部分画像の抽出を完了すると、図１０（ａ）に示す部分画像５０１ａに基づき、コンテンツ情報を格納すべき格納先を示す情報（以降、格納先情報とする）を取得する（Ｓ６０４）。Ｓ６０４においては、符号化情報制御部２０３が、主制御部２０１の制御に従い、画像処理部２０４が抽出した部分画像５０１ａを取得する。そして、符号化情報制御部２０３は、取得した部分画像５０１ａが表示する符号化情報を復号化する。図８において説明したように、符号化情報表示領域５０１に表示されている符号化情報は、格納先ＩＤの情報を含む。従って、符号化情報制御部２０３は、部分画像５０１ａを復号化することにより、格納先ＩＤの情報を取得する。
【００６９】
符号化情報制御部２０３は、格納先ＩＤの情報を取得すると、その格納先ＩＤに基づいて格納先情報ＤＢ２２０から格納先情報を取得する。図１１に、格納先情報ＤＢ２２０に格納されている情報の例を示す。図１１に示すように、格納先情報ＤＢ２２０は、夫々の格納先を識別するＩＤと夫々の格納先のパスを示す情報（以降、パス情報とする）とを関連付けて記憶している。このパス情報は、夫々の格納先のネットワーク上におけるアドレスを示すアドレス情報である。即ち、符号化情報制御部２０３が、記憶領域特定部として機能する。
【００７０】
ここで、図１１に示す“ｕｓｅｒ００１”、“ｃａｔｅｇｏｒｙ０１”等の文字列は、夫々コンテンツ情報のユーザ情報やカテゴリ情報を示す。即ち、本実施形態に係るパス情報は、当該パスに格納されるコンテンツのユーザやカテゴリに応じて決定されている。符号化情報制御部２０３は、部分画像５０１ａの復号化により取得した格納先ＩＤに関連付けられているパス情報を記憶領域特定情報として取得する。
【００７１】
サービス提供サーバ２は、記憶領域特定情報としてパス情報を取得すると、部分画像５０２ａ及び部分画像５０３ａの情報の格納命令をコンテンツサーバ３に送信する（Ｓ６０５）。Ｓ６０５において送信される格納命令に含まれる情報の例を図１２に示す。図１２に示すように、Ｓ６０５において送信される格納命令には、ヘッダ情報、格納先情報及びＳ６０３において抽出した部分画像５０２ａ、５０３ａが含まれる。
【００７２】
図１２に示す情報は、主制御部２０１によって生成される。主制御部２０１は、Ｓ６０３において抽出した部分画像の情報及び符号化情報制御部２０３が格納先情報ＤＢ２２０から取得した格納先情報に基づいて、図１２に示す情報を生成する。主制御部２０１は、入出力制御部２０２を制御し、ネットワークＩ／Ｆ２１０を介して図１２に示す情報を送信させる。即ち、主制御部２０１及び入出力制御部２０２が、格納対象画像情報をコンテンツサーバ３に格納させる情報記憶処理部として機能する。
【００７３】
コンテンツサーバ３に送信された格納命令は、ネットワークＩ／Ｆ３１０を介して入出力制御部３０２によって受信される。主制御部３０１は、入出力制御部３０２が受信した格納命令の情報を取得する。コンテンツサーバ３は、格納命令を受信すると、部分画像５０２ａ及び部分画像５０３ａをブログサイトとして公開するための情報（以降、表示情報）を生成する（Ｓ６０６）。Ｓ６０６においては、コンテンツ制御部３０３が主制御部３０１の制御に従って表示情報を生成する。図１３に、本実施形態に係る表示情報に含まれる情報の例を示す。
【００７４】
図１３に示すように、本実施形態に係る表示情報は、ヘッダ情報及び構成情報を含む。構成情報は、ウェブページとして表示されるコンテンツを構成する情報である。構成情報には、ウェブページ中に表示される部分画像５０２ａ、５０３ａを指定する情報である部分画像５０２ａ指定情報及び部分画像５０３ａ指定情報（以降、部分画像指定情報とする）が含まれる。この部分画像指定情報は、部分画像５０２ａ及び部分画像５０３ａの情報が夫々格納されている記憶領域を指定する情報である。図１３に示す表示情報は、一般的には、ＨＴＭＬ（ＨｙｐｅｒＴｅｘｔ  Ｍａｒｋｕｐ  Ｌａｎｇｕａｇｅ）形式の情報である。
【００７５】
コンテンツサーバ３は、表示情報を生成すると、生成した表示情報及び部分画像５０２ａ、５０３ａを格納する（Ｓ６０７）。Ｓ６０７においては、コンテンツ制御部３０３が、主制御部３０１の制御に従い、コンテンツＤＢ３２０に情報を格納する。ここで、図１４を参照して、コンテンツＤＢ３２０に格納されている情報について説明する。
【００７６】
図１４に示すように、コンテンツＤＢ３２０は、表示情報記憶部３２１及び部分画像記憶部３２２を有する。表示情報記憶部３２１は、図１３において説明した表示情報を記憶している。部分画像記憶部３２２は、図１０（ｂ）、図１０（ｃ）において説明した部分画像５０２ａ、５０３ａを記憶している。即ち、Ｓ６０７において、コンテンツ制御部３０３は、表示情報を表示情報記憶部３２１に記憶する。また、部分画像５０２ａ、５０３ａの情報を部分画像記憶部３２２に記憶する。このような処理により、ユーザが専用用紙５に手書きした情報がコンテンツサーバ３に格納される。
【００７７】
図１５に、コンテンツサーバ３に格納された部分画像をウェブサイト上に表示した場合の表示態様を示す。図１５に示すように、本実施形態に係るコンテンツサーバ３によって提供されるブログサイトでは、図６において説明した動作によって格納された部分画像５０２ａ、５０３ａが表示される。図１５に示すような画面（以降、コンテンツ画面とする）は、ネットワーク４に接続されているクライアント装置６の表示部であるＬＣＤ６０に表示される。コンテンツ画面を表示する際、ユーザはクライアントＰＣを操作して、コンテンツＤＢ３２０の表示情報記憶部３２１に記憶されている表示情報のＵＲＬ（Ｕｎｉｆｏｒｍ  Ｒｅｓｏｕｒｃｅ  Ｌｏｃａｔｏｒ）にアクセスする。クライアントＰＣは、コンテンツサーバ３から表示情報及び部分画像をダウンロードすることにより、図１５に示すコンテンツ画面を表示する。
【００７８】
このように、本実施形態においては、専用用紙５のタイトル記入領域５０２及びコンテンツ情報描画領域５０３に手書きで描いた情報が、部分画像５０２ａ、５０３ａとしてコンテンツサーバ３のコンテンツＤＢ３２０に格納される。部分画像の格納に際しては、符号化情報表示領域５０１に表示されている符号化情報に基づき、システムが自動的に格納先を判別して部分画像を格納する。このような構成により、手書きによって作成した画像を容易に電子情報としてコンテンツサーバ３に格納することが可能となる。これにより、ＰＣ等の情報端末の操作に不慣れなユーザであっても、手書きの画像を用いたブログの公開を容易に行なうことが可能となる。
【００７９】
上述したように、本実施形態においては、符号化情報表示領域５０１に符号化情報の表示された専用用紙が重要な役割を果たす。本実施形態に係る画像処理システムにおける専用用紙５の生成動作について説明する。図１６は、本実施形態に係る専用用紙５の生成動作を示すシーケンス図である。本実施形態に係る専用用紙５を生成する場合、図１６に示すように、クライアント装置５が、ユーザの操作に応じて専用用紙の生成要求（用紙生成要求）をコンテンツサーバ３に送信する（Ｓ１６０１）。Ｓ１６０１において送信される用紙生成要求に含まれる情報の例を図１７に示す。
【００８０】
図１７に示すように、Ｓ１６０１において送信される用紙生成要求には、ユーザ情報及びカテゴリ情報が含まれる。図１７に示す情報は、ユーザがクライアント装置６を操作することにより入力される。用紙生成要求を受信したコンテンツサーバ３は、受信した用紙生成要求に応じて、新規にコンテンツを格納すべき格納先を生成する（Ｓ１６０２）。
【００８１】
Ｓ１６０２においては、コンテンツ制御部３０３が、主制御部３０１の制御に従い、コンテンツＤＢ３２０内に新規にフォルダを生成する。図１１において説明したように、本実施形態に係るコンテンツ情報の記憶領域を示すパス情報は、記憶すべきコンテンツ情報のユーザ、カテゴリ等に基づいて決定される。即ち、コンテンツ制御部３０３は、クライアント装置６から受信した用紙生成要求に含まれるユーザ情報、カテゴリ情報に基づいて、コンテンツＤＢ３２０内にコンテンツの格納先となるフォルダを生成する。
【００８２】
コンテンツサーバ３は、格納先を生成すると、生成した格納先の情報をサービス提供サーバ２に送信する（Ｓ１６０３）。Ｓ１６０３において送信される情報は、Ｓ１６０２において生成された格納先のパスを示す情報である。図１１において説明したように、格納先のパスを示す情報はアドレス情報として用いられる。サービス提供サーバ２に送信されたアドレス情報は、ネットワークＩ／Ｆ２１０を介して入出力制御部２０２が受信し、主制御部２０１に入力される。即ち、入出力制御部２０２が、アドレス情報取得部として機能する。アドレス情報を受信したサービス提供サーバ２は、受信したアドレス情報に対応するＩＤを生成し、生成したＩＤ及びアドレス情報を格納先情報ＤＢ２２０に登録する（Ｓ１６０４）。
【００８３】
Ｓ１６０４の処理においては、符号化情報制御部２０３が、主制御部２０１の制御に従い、受信したアドレス情報に対応したＩＤを生成する。即ち、符号化情報制御部２０３が、識別情報生成部として機能する。ここで生成されるＩＤは、図１１において説明した格納先ＩＤである。格納先ＩＤは連番で生成される。即ち、符号化情報制御部２０３は、Ｓ１６０４において、格納先情報ＤＢ２２０に登録されている格納先ＩＤのうち、最も大きい整数に続く次の整数を格納先ＩＤとして生成する。符号化情報制御部２０３は、格納先ＩＤを生成すると、図１１に示すように、Ｓ１６０３においてコンテンツサーバ３から受信した格納先情報と上記生成した格納先ＩＤとを関連付けて格納先情報ＤＢ２２０に登録する。即ち、符号化情報制御部２０３が、記憶領域情報登録部として機能する。
【００８４】
サービス管理サーバ２は、格納先情報ＤＢ２２０への情報の登録が完了すると、Ｓ１６０４において生成された格納先ＩＤを符号化して符号化情報を生成し、コンテンツサーバ３に送信する（Ｓ１６０５）。即ち、符号化情報制御部２０３が、符号化情報生成部として機能する。Ｓ１６０５において生成される符号化情報は、専用用紙５の符号化情報表示領域５０１に表示される画像の情報である。コンテンツサーバ３は、サービス管理サーバ２から符号化情報を受信すると、専用用紙５を印刷出力するための画像情報（以降、用紙画像情報とする）を生成し、クライアント装置６に送信する（Ｓ１６０６）。Ｓ１６０６においては、主制御部３０１が、受信した符号化情報及び予め格納されている専用用紙５のフォーマット情報に基づいて、用紙画像情報を生成する。即ち、主制御部３０１が、用紙画像情報生成部として機能する。Ｓ１６０６において生成される用紙画像情報が示す画像の例を図１８に示す。
【００８５】
クライアント装置６は、用紙画像情報を受信すると、受信した用紙画像情報を印刷出力するための印刷ジョブを生成し、画像処理装置１に送信する（Ｓ１６０７）。Ｓ１６０７においては、クライアント装置６にインストールされた画像処理装置１のプリンタドライバが印刷ジョブを生成する。画像処理装置１は、印刷ジョブを受信すると、受信した印刷ジョブに従って印刷出力を実行する（Ｓ１６０８）。このような処理により、本実施形態に係る専用用紙５の印刷出力が完了する。本実施形態においては、Ｓ１６０４及びＳ１６０５の処理により、専用用紙５の出力を容易に行なうことが可能となる。
【００８６】
以上、説明したように、本実施形態に係る画像処理システムにおいては、専用用紙５をスキャンすることにより、タイトル記入領域５０２及びタイトルコンテンツ情報描画領域５０３に描かれた部分画像がコンテンツ情報として格納される。コンテンツ情報の格納に際しては、符号化情報表示領域５０１に表示されている符号化情報に基づき、コンテンツ情報を格納すべき格納先が決定される。このような構成により、画像処理装置１における専用用紙５のスキャンからコンテンツサーバ３における所定の記憶領域への情報の格納までを自動化することが可能となる。結果的に、ネットワークを介した情報発信において、手書き情報を用いた情報の発信を容易化することが可能となる。
【００８７】
尚、上記実施形態においては、図８において説明したように、符号化情報表示領域５０１に表示されている符号化情報には、格納先を識別するＩＤの情報が含まれる例を説明した。この他、図１１において説明した格納先情報としてのパス情報、即ち格納際を示す文字情報を符号化して符号化情報としても良い。尚、符号化情報に含めることのできる情報には限界があるが、格納先情報ＤＢ２２０の記憶容量は比較的大容量化が可能である。従って、上述したように格納先ＩＤを用いることにより、符号化情報に基づいて参照可能な情報量を容易に増加させることが可能となる。
【００８８】
また、上記実施形態においては、格納先情報として、図１１において説明したようなパス情報を用いる場合を例として説明した。この他、情報の転送方法に応じて様々な形式の格納先情報を用いることが可能である。例えば、ＦＴＰ（Ｆｉｌｅ  Ｔｒａｎｓｆｅｒ  Ｐｒｏｔｏｃｏｌ）プロトコルを用いる場合は、ＦＴＰサーバのＵＲＬが用いられる。また、電子メールによるファイル添付送信が用いられる場合は、電子メールアドレスが用いられる。
【００８９】
また、上記実施形態においては、図１６において説明したように、コンテンツサーバ３において生成された用紙画像をクライアント装置６が取得し、クライアント装置６が印刷ジョブを生成する例を説明した。この他、専用用紙５の生成については、様々な態様が考えられ得る。その他の態様の一例について、図１９を参照して説明する。図１９に示すように、Ｓ１９０１〜Ｓ１９０４は、図１６のＳ１６０１〜Ｓ１６０４と同様に処理が実行される。ここで、Ｓ１９０１において送信される用紙生成要求に含まれる情報の例を図２０に示す。
【００９０】
図２０に示すように、本実施形態のＳ１９０１において送信される用紙生成要求には、ユーザ情報、カテゴリ情報に加えて画像処理装置情報が含まれる。画像処理装置情報とは、専用用紙５を印刷出力させる画像処理装置を指定する情報である。画像処理装置情報としては、ＩＰアドレス等が用いられる。
【００９１】
サービス管理サーバ２は、Ｓ１９０４までの処理が完了すると、図１６のＳ１６０５と同様に符号化情報を生成する。そして、サービス管理サーバ２は、専用用紙５を印刷出力するための印刷ジョブを生成し、画像処理装置１に送信する（Ｓ１９０６）。Ｓ１９０６においては、印刷命令生成部２０５が、主制御部２０１の制御に従い、Ｓ１９０５において生成した符号化情報及び予め格納されている専用用紙５のフォーマット情報に基づいて、用紙画像情報を生成する。
【００９２】
印刷命令生成部２０５は、用紙画像情報を生成すると、主制御部２０１の制御に従い、その用紙画像情報に基づいて印刷ジョブを生成する。入出力制御部２０２は、主制御部２０１の制御に従い、印刷命令生成部２０５が生成した印刷ジョブをネットワークＩ／Ｆ２１０を介して画像処理装置１に送信する。尚、Ｓ１９０６においては、用紙生成要求に含まれる画像処理装置情報に基づき、印刷ジョブを送信すべき画像処理装置が決定される。
【００９３】
画像処理装置１は、サービス管理サーバ２から印刷ジョブを受信すると、専用用紙５の印刷出力を実行する（Ｓ１９０７）。このような処理によっても、専用用紙５を容易に生成することが可能となる。
【００９４】
実施の形態２．
実施の形態１においては、図１７において説明したように、専用用紙５を生成する際の用紙生成要求にユーザ情報及びカテゴリ情報が含まれる例を説明した。これにより、図１６のＳ１６０２において説明したように、ユーザ及びカテゴリに応じた格納先が生成される。そして、サービス管理サーバは、Ｓ１６０２において生成された格納先を格納先ＩＤと関連付けて登録する。その結果、サービス管理サーバ２は、符号化情報を復号化して格納先ＩＤを取得し、取得した格納先ＩＤに関連付けられた格納先にコンテンツ情報を格納する。このような場合、異なるカテゴリにコンテンツ情報を登録する際は、異なる専用用紙５を出力する必要がある。本実施形態においては、専用用紙５の他の態様について説明する。尚、実施の形態１と同様の符号を付す構成については、同一または相当部を示し、説明を省略する。
【００９５】
図２１は、本実施形態に係る専用用紙５を示す図である。本実施形態に係る専用用紙５は、図１８の態様に加えてカテゴリ指定部５０４を有する。図２２は、カテゴリ指定部５０４の詳細を示す図である。図２２に示すように、カテゴリ指定部５０４は、マークシートのように、指定すべき情報と塗りつぶすべき領域とが関連付けられて表示されている。即ち、予め設定されているカテゴリ名とマークすべき領域（以降、マーク領域）とが表示されている。ユーザは、カテゴリ指定部５０４においていずれか一つのマーク領域をマークすることにより、格納すべきコンテンツ情報のカテゴリを指定する。
【００９６】
次に、本実施形態に係るコンテンツ情報の格納動作について、図６を参照して説明する。Ｓ６０１、Ｓ６０２は、実施の形態１において説明した態様と同様の処理が実行される。Ｓ６０２において、画像処理部２０４は、符号化情報表示領域５０１、タイトル記入領域５０２及びコンテンツ情報描画領域５０３の部分画像に加えて、カテゴリ指定部５０４の部分画像も抽出する。
【００９７】
そして、Ｓ６０４において、符号化情報制御部２０３は、実施の形態１と同様に、格納先情報ＤＢ２２０から格納先情報を取得する。ここで、本実施形態においては、格納先情報ＤＢ２２０に格納されている情報が図１１において説明した態様と異なる。格納先情報ＤＢ２２０に格納されている情報の例を図２３に示す。図２３に示すように、本実施形態に係る格納際情報ＤＢ２２０は、格納先情報であるパス情報としてカテゴリの要素を含まず、ユーザ情報によってパスが特定されている。
【００９８】
Ｓ６０４において、符号化情報制御部２０３は、格納先情報ＤＢ２２０から図２３に示す格納先情報を取得する。更に、符号化情報制御部２０３は、カテゴリ指定部５０４の部分画像から、ユーザによって指定されているカテゴリを認識する。符号化情報制御部２０３は、図２２に示すマーク領域の座標とカテゴリの種類とを関連付けて記憶している。従って、符号化情報制御部２０３は、カテゴリ指定部５０４の部分画像を解析することにより、ユーザによって指定されたカテゴリを認識し、カテゴリ情報を取得することが可能となる。
【００９９】
Ｓ６０５において、入出力制御部２０２は、符号化情報制御部２０３が格納先情報ＤＢ２２０から取得した格納先情報及びカテゴリ指定部５０４の部分画像に基づいて認識したカテゴリ情報を含む格納命令をコンテンツサーバ３に送信する。Ｓ６０６は、実施の形態１と同様に処理が実行される。そして、Ｓ６０７において、コンテンツ制御部３０３は、格納命令に含まれる格納先情報及びカテゴリ情報に基づいて、コンテンツ情報の格納先を決定し、コンテンツ情報を格納する。
【０１００】
このような処理により、専用用紙５を用いた手書き情報の格納の利便性を、より向上することが可能となる。具体的には、異なるカテゴリにコンテンツ情報を格納する場合であっても、同一の専用用紙５を用いることが可能となる。尚、上記実施形態においては、カテゴリ指定部５０４を設けることにより、カテゴリを指定可能となる例を説明した。この他、その他の情報を指定可能としても良い。また、上記実施形態においては、マークシート形式により、情報を指定する例を説明した。この他、カテゴリやユーザの情報を文字で記入し、ＯＣＲ（Ｏｐｔｉｃａｌ  Ｃｈａｒａｃｔｅｒ  Ｒｅｃｏｇｎｉｔｉｏｎ）により情報を認識するようにしても良い。
【０１０１】
実施の形態３．
実施の形態１においては、画像処理システムの実施形態としてコンテンツサーバ３によって提供されるブログサイトを例として説明した。本実施形態においては、画像処理システムの異なる実施形態として、ユーザ間の情報交換を容易化する情報交換システムについて説明する。尚、実施の形態１と同様の符号を付す構成については、同一または相当部を示し、説明を省略する。
【０１０２】
図２４は、本実施形態に係る情報交換システムの運用形態を示す図である。図２４に示すように、本実施形態に係る情報交換システムにおいては、図１と同様、画像処理装置１、サービス管理サーバ２、コンテンツサーバ３及びクライアント装置６がネットワーク４を介して接続されている。ここで本実施形態は、画像処理装置１の設置場所が特定されていることに特徴を有する。図２４に示すように、画像処理装置１は、エリアＡに設置されている。本実施形態に係るエリアＡは、老人ホーム等、高齢者が滞在する場所である。他方、クライアント装置６は、エリアＢに設置されている。エリアＢは、エリアＡとは異なる場所であり、一般家庭等である。
【０１０３】
本実施形態に係る画像処理システムは、エリアＡに属する高齢者とエリアＢに属するユーザとのコミュニケーションを容易化することが主な効果の１つとなる。具体的には、エリアＢに属するユーザがクライアント装置６を操作し、コンテンツサーバ３に質問を投稿する。コンテンツサーバ３に投稿された質問は、サービス管理サーバ２の処理によりエリアＡに属する画像処理装置１から印刷出力される。エリアＡに属するユーザは、画像処理装置１から出力された用紙に回答を書き込み、画像処理装置１を操作してスキャンを実行する。これにより、図６において説明した動作と同様に、用紙に書き込まれた回答がコンテンツサーバ３に格納され、エリアＢに属するユーザによって閲覧可能となる。
【０１０４】
本実施形態に係る画像処理装置１の動作について、図２５を参照して説明する。図２５は、エリアＢに属するユーザがコンテンツサーバ３に質問を投稿する動作を示すシーケンス図である。図２５に示すように、クライアント装置６は、質問を投稿するユーザ（以降、質問ユーザとする）の操作に従い、コンテンツサーバ３にアクセスして質問情報の投稿画面を表示する（Ｓ２５０１）。図２６に、本実施形態に係る質問情報の投稿画面を示す。
【０１０５】
本実施形態に係る質問情報の投稿画面は、図２６に示すように、夫々カテゴリ、質問タイトル、質問者及び本分を入力する入力部及び入力した情報の送信を指示する送信ボタンを有する。ユーザは、クライアント装置６を操作し、図２６に示す投稿画面に必要な情報を入力し、マウス等のポインタで送信ボタンをクリックする。クライアント装置６は、質問ユーザの操作に従い、投稿画面に入力された情報を質問情報としてコンテンツサーバ３に送信する（Ｓ２５０２）。
【０１０６】
コンテンツサーバ３に送信された質問情報は、ネットワークＩ／Ｆ３１０を介して入出力制御部３０２が受信する。即ち、入出力制御部３０２が質問情報取得部として機能する。コンテンツサーバ３は、質問情報を受信すると、受信した質問情報をウェブサイトとして表示するための表示情報を生成する（Ｓ２５０３）。図２７に、質問情報の表示画面（以降、質問表示画面とする）を示す。図２７に示される質問表示画面は、表示情報がクライアント装置６にダウンロードされることにより、クライアント装置６に表示される。
【０１０７】
コンテンツサーバ３は、図２７に示すような質問表示画面を表示するための表示情報を生成すると、その質問に対する回答の情報を格納すべき回答格納先を生成する（Ｓ２５０４）。Ｓ２５０４においては、コンテンツ制御部３０３が、主制御部３０１の制御に従い、コンテンツＤＢ３２０内に新規にフォルダを生成する。即ち、コンテンツ制御部３０３が、記憶領域決定部として機能する。そして、コンテンツサーバ３は、質問表示画面の表示情報をコンテンツＤＢ３２０に格納する（Ｓ２５０５）。また、コンテンツサーバ３は、質問表示画面の表示情報及びＳ２５０４において生成した格納先の情報をサービス管理サーバ２に転送する（Ｓ２５０６）。
【０１０８】
サービス管理サーバ２は、コンテンツサーバ３から質問表示画面の表示情報及び格納先情報を受信すると、図１６において説明したＳ１６０４の処理と同様に、格納先ＩＤを生成し格納先情報ＤＢ２２０に格納先情報を登録する（Ｓ２５０７）。Ｓ２５０７の処理においては、符号化情報制御部２０３が、図１６のＳ１６０４と同様に、格納先ＩＤの生成及び格納先情報ＤＢ２２０への格納先情報の登録を実行する。そして、サービス管理サーバ２は、Ｓ２５０７で生成した格納先ＩＤを符号化し、符号化情報を生成する（Ｓ２５０８）。Ｓ２５０８においては、図１６のＳ１６０５と同様に、符号化情報制御部２０３が、主制御部２０１の制御に従い、符号化情報を生成する。
【０１０９】
サービス管理サーバ２は、格納先ＩＤの登録及び符号化情報の生成が完了すると、質問を印刷出力するための印刷ジョブ及び質問に対する回答を書き込むべき回答用紙を印刷出力するための印刷ジョブを生成し、画像処理装置１に送信する（Ｓ２５０９）。ここで、上記回答用紙とは、実施の形態１における専用用紙５である。即ち、本実施形態に係る回答用紙（以降、回答用紙５とする）は図１８に示すように、符号化情報表示領域５０１、タイトル記入領域５０２及びコンテンツ情報描画領域５０３を有する。回答用紙５の符号化情報表示領域５０１に表示されている符号化情報は、Ｓ２５０８において生成された符号化情報である。
【０１１０】
Ｓ２５０９においては、印刷命令生成部２０５が、主制御部２０１の制御に従い、質問表示画面の表示情報に基づいて質問を印刷出力するための印刷ジョブを生成する。また、印刷命令生成部２０５が、主制御部２０１の制御に従い、Ｓ２５０８において生成された符号化情報及び予め格納されている回答用紙５のフォーマット情報に基づいて回答用紙５を印刷出力するための印刷ジョブを生成する。
【０１１１】
印刷命令生成部２０５が印刷ジョブの生成を完了すると、入出力制御部２０２は、主制御部２０１の制御に従い、印刷命令生成部２０５が生成した印刷ジョブを、ネットワークＩ／Ｆ２１０を介して画像処理装置１に送信する。画像処理装置１は、サービス管理サーバ２から印刷ジョブを受信すると、印刷出力を実行する（Ｓ２５１０）。これにより、図２７に示す質問表示画面に表示されている情報と同様の質問情報の印刷出力が実行される。また、図１８に示すような回答用紙５が印刷出力される。尚、上記質問情報の出力用紙及び回答用紙５は別々の用紙であっても同一の用紙で合っても良い。
【０１１２】
このような処理により、エリアＢにおいてクライアント装置６を介して投稿された質問がコンテンツサーバ３に登録される。また、上記質問及び回答用紙５が、エリアＡに設置された画像処理装置１から印刷出力される。エリアＡに属する高齢者は、画像処理装置１から出力された質問を参照し、同様に出力された回答用紙５に回答を書き込む。そして、その回答用紙５を画像処理装置１でスキャンすることにより、実施の形態１の図６と同様の処理が実行され、回答の情報がコンテンツサーバ３に登録される。これにより、エリアＢに属するユーザは、コンテンツサーバ３にアクセスして回答を閲覧することが可能となる。
【０１１３】
図２８に、本実施形態に係る画像処理システムにおいてコンテンツサーバ３に格納されている質問情報の一覧を表示する画面（以降、一覧表示画面とする）の例を示す。図２８に示すように、本実施形態に係る一覧表示画面は、コンテンツＤＢ３２０に格納された質問情報のタイトル、投稿者及びカテゴリが表示される。これらの文字列をマウス等のポインタでクリックすることにより、図２７に示すように質問情報が表示される。また、回答が登録された質問に対しては、図２８に示すように回答のタイトル及び投稿者が表示される。これらの文字列をクリックすることにより、図１５と同様の態様にて、コンテンツ情報として格納された回答情報の画像が表示される。
【０１１４】
以上説明したように、本実施形態に係る画像処理システムにおいては、高齢者等の情報端末の操作に慣れていないユーザからの回答を容易に得ることができる情報交換システムを提供することが可能となる。尚、図２７に示すように、本実施形態に係る質問表示画面には、回答を入力するための画面を表示させるインタフェースを設けられていない。即ち、本実施形態に係る情報交換システムにおいては、エリアＡに属するユーザのみが、画像処理装置１のスキャン機能を用いて質問に対する回答を入力することが可能である。これにより、不要な情報や誤った情報が質問に対する回答として入力されることを防ぐことが可能となる。
【０１１５】
実施の形態４．
実施の形態１においては、手書き情報を電子情報として扱う場合の最初のステップとして、画像処理装置１によるスキャンを例として説明した。本実施形態においては、上記最初のステップとしてＦＡＸ（Ｆａｃｓｉｍｉｌｅ）を用いる場合を説明する。尚、実施の形態１と同様の符号を付す構成については、同一または相当部を示し、説明を省略する。
【０１１６】
図２９は、本実施形態に係る画像処理システムの運用形態を示す図である。図２９に示すように、本実施形態に係る画像処理システムは、画像処理装置として画像処理装置１ａ及び画像処理装置１ｂを有する。その他、図１と同様、サービス管理サーバ２、コンテンツサーバ３及びクライアント装置６がネットワーク４を介して接続されている。画像処理装置１ａと画像処理装置１ｂとは、電話回線７を介して接続されており、ファックスの送受信が可能である。
【０１１７】
本実施形態においては、エリアＣに画像処理装置１ａ及びクライアント装置６が属している。また、エリアＣとは異なるエリアＤに画像処理装置１ｂ、サービス管理サーバ２及びコンテンツサーバ３が属している。エリアＣは、一般家庭等、一般ユーザが属するエリアである。また、本実施形態に係るエリアＤは、放送事業者が属するエリアである。本実施形態に係る情報交換システムは、エリアＣに属する一般ユーザがエリアＤに属する放送事業者が放送する番組に対してメッセージを投稿するためのシステムである。
【０１１８】
本実施形態に係る画像処理装置１ａ、１ｂの構成について図３０を参照して説明する。図３０は、本実施形態に係る画像処理装置１ａ、１ｂの構成を示すブロック図である。図２に示すように、本実施例に係る画像処理装置１ａ、１ｂは、図２において説明した態様と略同様の構成を有する。ここで、本実施形態に係る画像処理装置１ａ、１ｂは、ＦＡＸ  Ｉ／Ｆ１０９を更に有する。ＦＡＸ  Ｉ／Ｆ１０９は、画像処理装置１ａ、１ｂが電話回線７を介してファックスの送受信を行なうためのインタフェースである。ＦＡＸ  Ｉ／Ｆ１０９は、入出力制御部１１３に接続されている。
【０１１９】
次に、本実施形態に係る情報交換システムの動作について、図３１を参照して説明する。図３１は、本実施形態に係る情報交換システムの動作を示すフローチャートである。図３１に示すように、本実施形態に係る情報交換システムにおいては、エリアＣに属する一般ユーザが、専用用紙５を取得する（Ｓ３１０１）。本実施形態に係る専用用紙５は、エリアＤに属する放送事業者が放送する番組に対してメッセージを送信する際に用いる用紙である。
【０１２０】
Ｓ３１０１においては、クライアント装置６がユーザの指示に応じてコンテンツサーバ３から専用用紙５の画像をダウンロードする。クライアント装置６は、コンテンツサーバ３からダウンロードした専用用紙の画像に基づいて印刷ジョブを生成し、画像処理装置１ａに送信する。画像処理装置１ａは、クライアント装置６から受信した印刷ジョブに基づいて印刷出力を実行し専用用紙５を出力する。
【０１２１】
コンテンツサーバ３は、クライアント装置６にダウンロードさせる専用用紙５の画像をネットワーク４上に公開する際、コンテンツＤＢ３２０内にフォルダを生成する。そして、コンテンツサーバ３は、コンテンツＤＢ３２０内に生成したフォルダのパス情報を格納先情報としてサービス管理サーバ２に送信する。サービス管理サーバ２は、図１６のＳ１６０４及びＳ１６０５と同様に、格納先ＩＤの生成、格納先情報の登録、符号化情報の生成及び生成した符号化情報のコンテンツサーバ３への送信を行なう。
【０１２２】
コンテンツサーバ３は、図１６のＳ１６０６と同様に、サービス管理サーバ２から受信した符号化情報及び専用用紙５のフォーマット情報に基づいて専用用紙５の画像情報を生成する。このような処理により、クライアント装置６にダウンロードさせるべき専用用紙５の画像の情報が生成される。
【０１２３】
エリアＣに属する一般ユーザは、専用用紙５を取得すると、投稿すべき情報（以降、投稿情報とする）を専用用紙５に記入し、画像処理装置１ａを操作して画像処理装置１ｂ宛にファックス送信する（Ｓ３１０２）。画像処理装置１ｂは、画像処理装置１ａからファックスを受信すると、受信した情報をコンテンツサーバ３に登録する（Ｓ３１０３）。
【０１２４】
図３２は、Ｓ３１０３の処理、即ち、エリアＣに属する画像処理装置１ｂからファックスを受信した後に、エリアＤにおいて実行される動作を示すシーケンス図である。図３２に示すように、画像処理装置１ｂがファックスを受信した後、エリアＤにおいて実行される処理は、実施の形態１の図６において説明した処理と略同様である。図６においては、画像処理装置１がユーザの操作に応じてスキャンを実行することにより、その後の処理が実行される。これに対して、本実施形態においては、画像処理装置１ｂが、ファックスを受信する（Ｓ３２０１）ことにより、図６の処理と同様にその後の処理が実行される。
【０１２５】
図３２に示す動作の結果、一般ユーザによって手書きされ、ファックス送信された情報が、自動的に画像情報としてコンテンツサーバ３に登録され、ネットワーク４を介して公開される。放送番組宛のメッセージをファックスにより募集した場合、受信したメッセージをネットワーク上で公開するためには、手動によるサーバへの情報登録が必要となる。受信したメッセージが膨大な量となる場合、サーバへの情報登録に要する作業量が膨大となる。これに対して、本実施形態に係る情報交換システムにおいては、専用用紙５を用いてファックスを送信することにより、コンテンツサーバへの情報登録を自動化し、上記作業量の課題を解決することが可能となる。
【０１２６】
その他の実施形態．
上記実施形態においては、図１１に示すように、格納先情報ＤＢ２２０が格納先ＩＤと格納先パスとを関連付けて記憶している例を説明した。これにより、図６のＳ６０５において、サービス管理サーバ２は、Ｓ６０４において取得された格納先情報に部分画像５０２ａ、５０３ａを格納する。この他、図３３に示すように、格納先情報ＤＢ２２０は、格納先ＩＤとメールアドレスとを関連付けて記憶しても良い。
【０１２７】
図３３に示す格納先情報ＤＢ２２０を用いる場合、図６のＳ６０５において、サービス管理サーバ２は、格納先情報ＤＢ２２０から取得したメールアドレス宛に部分画像５０２ａ、５０３ａを送信する。これにより、格納先情報として取得したメールアドレスの受信サーバに部分画像５０２ａ、５０３ａが格納される。この場合、専用用紙５をスキャンするだけで、手書き情報を容易にメール送信することが可能となる。
【０１２８】
尚、上述したように、図３３の例の場合、サービス管理サーバ２は、部分画像５０２ａ、５０３ａを電子メールにて送信する。このメール送信という処理は、結果的には該当するメールアドレスの受信メールサーバに部分画像を格納させる処理であり、入出力制御部２０２が情報格納処理部として機能する点では、実施の形態１と同様である。
【０１２９】
また、上記実施形態においては、図９において説明したように、画像処理部２０４が夫々の領域を示す座標情報を有する例を説明した。これにより、画像処理部２０４は、図６のＳ６０３において、予め定められている座標情報に基づいて各部分画像５０１ａ〜５０３ａを抽出することが可能となる。この他、画像処理部２０４は、取得した画像情報を解析することにより、部分画像５０１ａ〜５０３ａとして抽出する領域を決定することもできる。
【０１３０】
例えば、ＱＲコード（登録商標）の場合、正方形の３隅に位置検出用のシンボルが設けられている。従って、画像処理部２０４は、この位置検出用のシンボルを検出することにより、部分画像５０１ａとして抽出すべき領域を決定することが可能となる。また、バーコードを用いる場合であっても、バーコードに加えて位置検出用のパターンを符号化情報表示領域に表示することにより、上記と同様の効果を得ることが可能となる。このような専用用紙５の例について、図３４に示す。この場合、画像処理部２０４は、図９に示す情報に替えて、位置検出パターンとのパターンマッチングを行なうためのパターンの情報を有する。図３４のように位置検出パターンが表示された領域は、位置検出用情報表示領域である。
【０１３１】
上述したように、位置検出パターンを用いる場合、符号化情報表示領域５０１、タイトル記入領域５０２及びコンテンツ情報描画領域５０３の夫々に適用することにより、画像処理部２０４による領域認識が可能となる。この他、いずれか１つの領域のみに位置検出パターンを適用し、タイトル記入領域５０２及びコンテンツ情報描画領域５０３は、符号化情報表示領域との位置関係により領域を認識するようにしても良い。この場合、画像処理部２０４は、図９に示す情報に替えて、上記位置関係を示す情報を有する。
【図面の簡単な説明】
【０１３２】
【図１】本発明の実施形態に係る画像処理システムの運用形態を示す図である。
【図２】本発明の実施形態に係る画像処理装置の構成を示すブロック図である。
【図３】本発明の実施形態に係るサービス管理サーバ、コンテンツサーバ及びクライアントサーバのハードウェア構成を示す図である。
【図４】本発明の実施形態に係るサービス管理サーバの機能構成を示すブロック図である。
【図５】本発明の実施形態に係るコンテンツサーバの機能構成を示すブロック図である。
【図６】本発明の実施形態に係る画像処理システムの動作を示すシーケンス図である。
【図７】本発明の実施形態に係る専用用紙の例を示す図である。
【図８】本発明の実施形態に係る符号化情報に含まれる情報の例を示す図である。
【図９】本発明の実施形態に係る画像処理部が有する情報の例を示す図である。
【図１０】本発明の実施形態に係る本発明の実施形態に係る部分画像の例を示す図である。
【図１１】本発明の実施形態に係る格納先情報ＤＢに格納されている情報の例を示す図である。
【図１２】本発明の実施形態に係る格納命令に含まれる情報の例を示す図である。
【図１３】本発明の実施形態に係る表示情報に含まれる情報の例を示す図である。
【図１４】本発明の実施形態に係るコンテンツＤＢ３２０に格納されている情報の例を示す図である。
【図１５】本発明の実施形態に係るウェブサイトの表示画面の例を示す図である。
【図１６】本発明の実施形態に係る専用用紙の生成動作を示すシーケンス図である。
【図１７】本発明の実施形態に係る用紙生成要求に含まれる情報の例を示す図である。
【図１８】本発明の実施形態に係る専用用紙の例を示す図である。
【図１９】本発明の他の実施形態に係る専用用紙の生成動作を示すシーケンス図である。
【図２０】本発明の他の実施形態に含まれる用紙生成要求に含まれる情報の例を示す図である。
【図２１】本発明の他の実施形態に係る専用用紙の例を示す図である。
【図２２】本発明の他の実施形態に係るカテゴリ指定部の例を示す図である。
【図２３】本発明の他の実施形態に係る格納先情報ＤＢに格納されている情報の例を示す図である。
【図２４】本発明の他の実施形態に係る情報交換システムの運用形態を示す図である。
【図２５】本発明の他の実施形態に係る情報交換システムの動作を示すシーケンス図である。
【図２６】本発明の他の実施形態に係る質問入力画面を示す図である。
【図２７】本発明の他の実施形態に係る質問情報の表示画面を示す図である。
【図２８】本発明の他の実施形態に係る質問情報の一覧表示画面を示す図である。
【図２９】本発明の他の実施形態に係る情報交換システムの運用形態を示す図である。
【図３０】本発明の他の実施形態に係る画像処理装置の構成を示すブロック図である。
【図３１】本発明の他の実施形態に係る情報交換システムの動作を示すフローチャートである。
【図３２】本発明の他の実施形態に係る情報交換システムの動作を示すシーケンス図である。
【図３３】本発明の他の実施形態に係る格納先情報ＤＢに格納されている情報の例を示す図である。
【図３４】本発明の他の実施形態に係る専用用紙の例を示す図である。
【符号の説明】
【０１３３】
１    画像処理装置
２    サービス管理サーバ
３    コンテンツサーバ
４    ネットワーク
５    専用用紙
６    クライアント装置
７    電話回線
１０    ＣＰＵ
２０    ＲＡＭ
３０    ＲＯＭ
４０    ＨＤＤ
５０    Ｉ／Ｆ
６０    ＬＣＤ
７０    操作部
８０    バス
１００    コントローラ
１０１    ＡＤＦ
１０２    スキャナユニット
１０３    排紙トレイ
１０４    ネットワークＩ／Ｆ
１０５    ディスプレイパネル
１０６    給紙テーブル
１０７    プリントエンジン
１０８    排紙トレイ
１０９    ＦＡＸ  Ｉ／Ｆ
１１１    主制御部
１１２    エンジン制御部
１１３    入出力制御部
１１４    画像処理部
１１５    操作表示制御部
２００    コントローラ
２０１    主制御部
２０２    入出力制御部
２０３    符号化情報制御部
２０４    画像処理部
２０５    印刷命令生成部
２１０    ネットワークＩ／Ｆ
２２０    格納先情報ＤＢ
３００    コントローラ
３０１    主制御部
３０２    入出力制御部
３０３    コンテンツ制御部
３１０    ネットワークＩ／Ｆ
３２０    コンテンツＤＢ
５０１    符号化情報表示領域
５０２    タイトル記入領域５０２
５０３    コンテンツ情報描画領域
５０４    カテゴリ指定部
５０１ａ〜５０３ａ    部分画像
【図１】
2010004115.tif 000003
【図２】
2010004115.tif 000004
【図３】
2010004115.tif 000005
【図４】
2010004115.tif 000006
【図５】
2010004115.tif 000007
【図６】
2010004115.tif 000008
【図７】
2010004115.tif 000009
【図８】
2010004115.tif 000010
【図９】
2010004115.tif 000011
【図１０】
2010004115.tif 000012
【図１１】
2010004115.tif 000013
【図１２】
2010004115.tif 000014
【図１３】
2010004115.tif 000015
【図１４】
2010004115.tif 000016
【図１５】
2010004115.tif 000017
【図１６】
2010004115.tif 000018
【図１７】
2010004115.tif 000019
【図１８】
2010004115.tif 000020
【図１９】
2010004115.tif 000021
【図２０】
2010004115.tif 000022
【図２１】
2010004115.tif 000023
【図２２】
2010004115.tif 000024
【図２３】
2010004115.tif 000025
【図２４】
2010004115.tif 000026
【図２５】
2010004115.tif 000027
【図２６】
2010004115.tif 000028
【図２７】
2010004115.tif 000029
【図２８】
2010004115.tif 000030
【図２９】
2010004115.tif 000031
【図３０】
2010004115.tif 000032
【図３１】
2010004115.tif 000033
【図３２】
2010004115.tif 000034
【図３３】
2010004115.tif 000035
【図３４】
2010004115.tif 000036